(57)【要約】【課題】ネット張りの座体において、座り心地を低下させることなく生産性を向上させる。【手段】ネット５は縦糸７の群と横糸８の群とからなっており、縦糸７にはマルチフィラメントが使用され、横糸８にはモノフィラメントが使用されている。ネット５は、フレーム３の前部３ｂと後部３ｃに対しては溶着のみで固定されているが、フレーム３の左右側部３ａに対しては、溶着のみでなく速乾性接着剤による接着によっても固定されている。ネット５の前部３ｂには接着部はないため、使用者の大腿部を刺激することはない。ネット５の縦糸７は毛細管現象によって速乾性接着剤を吸収するため、滴下した接着剤がある程度まで拡散すると、縦糸７による吸収作用によって拡散は停止する。このため、ネットの接着を迅速に行えると共に、体裁良く仕上がる。【選択図】　　　　図３
2004057646.tif 000002
【特許請求の範囲】
【請求項１】
左右側部と前部と後部とで平面視環状に形成されたフレームと、このフレームの上面に張られたネットとを備えた座体であって、
前記ネットを、フレームの前部に対しては、外縁部を適宜手段で固定しており、フレームの左右側部に対しては、外縁部を固定すると共にその内側の部位を液状接着剤で接着することによって固定しており、フレームの後部に対しては、少なくとも外縁部を適宜手段で固定している、
椅子の座体。
【請求項２】
前記フレームは、左右側部が平行に延びるように平面視四角形に形成されている一方、
前記ネットは、フレームの左右側部と平行に延びる多数の縦糸とフレームの左右側部と直交した方向に延びる多数の横糸とを絡ませた織地又は編地から成っており、各縦糸に、複数本の素材糸で構成されたマルチフィラメントが使用され、各横糸に、単一構造で高弾性のモノフィラメントが使用されており、
更に、前記接着剤として流動性の高い速乾性接着剤を使用している、
請求項１に記載した椅子の座体。
【請求項３】
左右側部と下部と上部とで正面視環状に形成されたフレームと、このフレームの前面に張られたネットとを備えた背もたれであって、
前記ネットを、フレームの上部又は下部若しくは両方に対しては、ネットの外縁部を溶着することによって固定しており、フレームの左右側部に対しては、外縁部を溶着すると共にその内側の部位を液状接着剤で接着することによって固定している、
椅子の背もたれ。
【請求項４】
フレームの各部位にネットの外縁部を溶着してから、ネットのうちフレームの左右側部に重なっている部分に、速乾性接着剤を直線状に延びるように滴下して、速乾性接着剤を帯状に拡散させることにより、フレームの左右側部に対するネットの接着部を帯状に形成している、
請求項２に記載した座体又は請求項３に記載した背もたれの製造方法。
【発明の詳細な説明】
【０００１】
【発明の属する技術分野】
本発明は、椅子（ネット椅子）の座体及び背もたれ並びにこれらの製造方法に関するものである。
【０００２】
【従来の技術】
椅子において、その座体又は背もたれを、環状のフレームに強靱なネットを張った構造とすることが行われている。この種の椅子は一般にネット椅子（ネットチェア）と称されており、通気性とクッション性とに優れている利点がある。
【０００３】
このネット椅子では、人の身体はネットで受けるため、ネットをフレームに対して強固に固定する必要がある。特に、座体のネットには大きな重量が掛かるため、フレームに強固に取付けることの必要性が高い。
【０００４】
ネットを強固に固定するために様々の方策が採られており、例えば、フレームを合成樹脂で製造するに際してネットの縁部をインサート成形によってフレームに埋設することが行われている。
【０００５】
また、他の固定手段として、ネットをホットメルト接着剤によってフレームに接着することが行われている。このホットメルト接着剤を使用した接着では、フレームに予めホットメルト接着剤を塗布しておいて、ネットの外縁部をフレームに溶着によって固定し、次いで、加温炉に入れる等してホットメルト接着剤を溶融軟化させることにより、ネットをフレームに接着している。
【０００６】
【発明が解決しようとする課題】
インサート成形によってネットの縁部をフレームに埋設する方法は、ネットをフレームの上面に配置できないという点や、フレームのリサイクルが困難になるという問題がある。
【０００７】
これに対してホットメルト接着剤を使用した固定手段は、両者のような問題は少ないと共に外観的にもスッキリとさせることができる利点があるが、その反面、予めホットメルト接着剤をフレームに塗布する工程が必要であると共に、加温して接着する工程に手間と時間とが掛かるため、生産性が低いという問題があった。また、加温炉のような大きな製造設備を必要とする点も問題であった。
【０００８】
本発明は、このような現状を改善することを課題とするものである。
【０００９】
【課題を解決するための手段】
請求項１の発明では、左右側部と前部と後部とで平面視環状に形成されたフレームと、このフレームの上面に張られたネットとを備えた座体において、前記ネットを、フレームの前部に対しては、外縁部を適宜手段で固定しており、フレームの左右側部に対しては、外縁部を固定すると共にその内側の部位を液状接着剤で接着することによって固定しており、フレームの後部に対しては、少なくとも外縁部を適宜手段で固定している。
【００１０】
請求項２の発明では、請求項１において、前記フレームは、左右側部が平行に延びるように平面視四角形に形成されている一方、前記ネットは、フレームの左右側部と平行に延びる多数の縦糸とフレームの左右側部と直交した方向に延びる多数の横糸とを絡ませた織地又は編地から成っており、各縦糸に、複数本の素材糸で構成されたマルチフィラメントが使用され、各横糸に、単一構造で高弾性のモノフィラメントが使用されており、更に、前記接着剤として流動性の高い速乾性接着剤を使用している。
【００１１】
請求項３の発明は、左右側部と下部と上部とで正面視環状に形成されたフレームと、このフレームの前面に張られたネットとを備えた背もたれにおいて、前記ネットを、フレームの上部又は下部若しくは両方に対しては、ネットの外縁部を溶着することによって固定しており、フレームの左右側部に対しては、外縁部を溶着すると共にその内側の部位を液状接着剤で接着することによって固定している。
【００１２】
請求項４の発明は、請求項２に記載した座体又は請求項３に記載した背もたれの製造方法に係るもので、この製法は、フレームの各部位にネットの外縁部を溶着してから、ネットのうちフレームの左右側部に重なっている部分に、速乾性接着剤を直線状に延びるように滴下（塗布）して、速乾性接着剤を帯状に拡散させることにより、フレームの左右側部に対するネットの接着部を帯状に形成する。
【００１３】
なお、ネットの外縁部をフレームに固定する方法としては、超音波や高周波、低周波、熱盤等を使用した溶着（融着）、タッカー（コ字形ファスナー）による押さえ固定、細長い押さえフレームによる押さえ固定、接着剤による接着など各種の方法を採用することができる。また、本発明にいうネットとは通気性を備えたシートという意味であり、様々の構造や外観を含んでいる。
【００１４】
【発明の作用・効果】
ネットは溶着によってもフレームに強く固定することができるが、高い安全性を確保するため、ホットメルト接着剤でも固定していた。そして、従来においてホットメルト接着剤を選択していたのは、ホットメルト接着剤は接着力が高い点と共に仕上がりが良いからであると言える。
【００１５】
接着剤には様々の種類があり、いわゆる瞬間接着剤のような速乾性接着剤もホットメルト接着剤と遜色のない接着力を得ることができるものが多く存在している。ところが、この速乾性接着剤は、簡単に接着できて能率的には優れているものの、乾くと硬くなるため、ネットを構成する糸に速乾性接着剤が浸透してから乾くと、接着箇所ではネットはしなやかさが失われてゴワゴワとした状態になる。
【００１６】
そして、着座した人の大腿部はネットの前端部に当たることが多いため、ネットの前端部をフレームの前部に速乾性接着剤で接着していると、着座した人の大腿部がネットの前端部に当たるたびに違和感や不快感を覚えるという不都合が生じる可能性がある。
【００１７】
これに対して本願発明の座体は、フレームの前部に対してネットはその外縁部が固定されているに過ぎないため、ネットの前端部がゴワゴワとした状態になることはなく、従って、使用者の大腿部がネットの前端部に当たっても違和感や不快感を与えることはない。
【００１８】
また、一般に、着座した人の大腿部や臀部がネットの左右側部や後部に当たることはないため、ネットがフレームの左右側部や後部に重なっている部位において硬くなっていても、座り心地には影響しない。
【００１９】
更に、人が着座することによってネットに作用する張力は、フレームの左右両側部との接着部に強く作用するもので、フレームの前部や後部との固定部にはそれほど強くは作用しないため、ネットをフレームの前部（或いは前部と後部）に溶着等によって固定しているだけであっても、ネット全体としては十分な固定強度を確保することができる。
【００２０】
このように、本発明によると、椅子の座体について、ネットの固定強度の低下や座り心地の低下を招来することなく、生産性アップとコストダウンとを図ることができる。また、背もたれについても、請求項３のように構成することによって同様の効果を得ることができる。
【００２１】
請求項２のように構成すると、高弾性のモノフィラメントより成る横糸群によって適度のクッション性を確保することができるため、使用者に快適な座り心地を提供することができる。
【００２２】
ところで、縦糸群と横糸群とを絡ませた織地や編地のようなネットにおいて、縦糸と横糸とは上下方向に蛇行しながら絡み合っているため、ネットとフレームとの重なり部には隙間が縦横に走っている。このため、流動性の高い（粘度が低い）接着剤をネットに滴下すると、接着剤がフレームの上面を伝って拡散し、その一部がフレームの外側又は内側に垂れ落ちることが懸念される。
【００２３】
これでは、接着剤が無駄になるのみならず、接着部の巾が不揃いになって接着力が低下する不具合がある。また、接着剤によっては、固まると白化して接着部が目に付くものがあるが、接着部の巾が不揃いになると汚れのような観を呈して体裁が悪くなるという問題もある。
【００２４】
これに対して請求項４の製法を採用すると、マルチフィラメントより成る縦糸は毛細管現象によって接着剤を吸収する性質を持つため、接着剤の塗布ラインと直交した方向にある程度まで広がると、接着剤は、ある程度まで広がった先に位置した２本の縦糸に吸収され尽くされる。
【００２５】
換言すると、平行に延びる２本の縦糸が、接着剤の垂れ落ちを阻止する堰の役割を果たして、接着部は等巾で長く延びる帯状に形成される。このように、接着剤の垂れ落ちを防止して接着剤の無駄を無くせることと、接着部の各部位において均等な接着力を確保できることとが相俟って、高い接着力を得ることができる（なお、接着剤の巾は接着剤の滴下量や縦糸の太さ等によって変化する）。
【００２６】
また、仮に横糸としてマルチフィラメントを使用していると、毛細管現象によって接着剤が横糸に浸透することにより、横糸群は、接着部よりも内側に位置した部分まで棒状に硬化する現象が生じ、このため、人の大腿部がネットの側部に触れるとゴツゴツとして違和感や不快感を感じる虞があるが、請求項４の発明では、接着剤が横糸群に浸透することはないため、人に違和感や不快感を与えることはない。
【００２７】
更に、仮に接着部が白化のように変色しても、その変色は等しい巾で帯状に延びているため、外観的に見苦しいことはない。従って、美感の面において商品価値を低下させることもない。
【００２８】
【発明の実施形態】
次に、本発明の実施形態を図面に基づいて説明する。
【００２９】
図１の斜視図に示すように、本実施形態の椅子は、座体１及び背もたれ２とも、合成樹脂で環状に形成されたフレーム３，４にネット５，６を張った構造になっている。
【００３０】
座体１のフレーム３は、平面視で平行に延びる左右側部３ａと、その前端間に連続する左右長手の前部３ｂと、左右側部３ａの後端間に連続する左右長手の後部３ｃとで平面視略四角形に形成されている。
【００３１】
背もたれ２のフレーム４は、正面視で平行に延びる上下長手の左右側部４ａと、その上端間に連続する左右長手の上部４ｂと、左右側部４ａの下端間に連続する左右長手の下部４ｃとで平面視略四角形に形成されている。座体１も背もたれ２も基本的には同じ構造であり、以下では、座体１について説明する。
【００３２】
（１）．ネット
ネット５は、フレーム３の左右側部３ａと平行に延びる縦糸７の群と、フレーム３の前部３ｂ及び後部３ｃと平行に延びる横糸８の群とを絡ませた織地又は編地から成っている。縦糸７及び横糸８とも、フレーム３に溶着できる素材から成っている。
【００３３】
図２に模式的に示すように、縦糸７は、例えば多数のポリエステル繊維を撚った化繊撚糸のように強靱なマルチフィラメントを使用しており、横糸８は、ポリエステルの単繊維のような単一構造で高弾性のモノフィラメントを使用している。
【００３４】
なお、本発明でいうモノフィラメントとは、外観的に単一物として捉えられる糸という意味であり、例えば、モノ又はマルチの芯糸を肌触りの良い表皮材で被覆した複合構造のものもモノフィラメントに含まれる。また、縦糸７及び横糸８の断面形状は便宜的に円形に表示しているが、楕円形や偏平状など、他の形状でも良いことは言うまでもない。縦糸７と横糸８とで太さや断面形状を異ならせても良い。
【００３５】
図３は座体１の部分平面図、図４のうち（Ａ）は図３のＡ−Ａ視断面図、（Ｂ）は図３のＢ−Ｂ視断面図である。図４に示すように、フレーム３の上面のうち外周寄りの部分は平坦状に形成されており、内周寄りの部位は傾斜状に形成されている。
【００３６】
ネット５の周縁はフレーム３の外周面に重なるように延びており、ネット５の外縁部を、フレーム３における各部３ａ，３ｂ，３ｃの外周面に溶着している。溶着箇所は符号９で示している。この場合、溶着部９はフレーム３の全周にわたって間断無く延びていても良いし、適当な間隔でミシン目状に断続していても良い。溶着部９を複数列形成しても良い。
【００３７】
ネット４の外縁部はフレーム３の外周面に重なっているため、フレーム３の前部３ｂに対する溶着部９が使用者の大腿部に触れることはない（なお、美感を捨象して使用者の座り心地だけを考えたら、ネット４のうち少なくとも前部をフレーム３の前部３ｂに巻き込んで、溶着部９が使用者の大腿部に当たらないようにすれば良い）。
【００３８】
ネット５は、溶着によってはフレーム３の各部位３ａ，３ｂ，３ｃに固定されているが、フレーム３の左右側部３ａに対しては、接着剤による接着剤によっても固定されている。接着部１０は細巾の帯状に形成されており、図３では平行斜線の群によって接着部１０の範囲を表示している。
【００３９】
（２）．製法
図５では上記した座体１の製法を示している。まず、所定の寸法に切り揃えたネット５をフレーム３に重ねて、（Ｂ）に示すように、ネット５の外縁部を、例えば高周波ホーンを当てながら移動させるというような方法により、フレーム３の外周面に溶着する。
【００４０】
ついで、（Ｃ）の断面図及び（Ｄ）の平面図に示すように、ネット５のうちフレーム３の左右側部３ａの平坦部に重なった部分に、例えばディスペンサー１１を使用して、例えば粘度が２〜８００（ｍＰａ・Ｓ）程度のシアノアクリレートのような速乾性接着剤１２をライン状に滴下して行く。すると、速乾性接着剤１２は滴下ライン１３を挟んだ両側に広がりながら帯状に拡散するのであるが、この点を図６〜図７を参照して説明する。
【００４１】
図６では、最も単純なネット５の形態として平織りを示している。図７は図６の　ＶＩＩ−ＶＩＩ視断面図であり、このように、織地の特性として、縦糸７と横糸８とは上下に蛇行しながら延びている。従って、ネット５の下面とフレーム３との間には隙間が縦横に走っている。従って、速乾性接着剤１２を滴下すると、速乾性接着剤１２は、隙間を伝って滴下ライン１３と直交した方向（すなわち横糸８の延び方向）に拡散して行く。
【００４２】
この場合、横糸８はモノフィラメントなので接着剤１２が浸透することはないが、縦糸７はマルチフィラメントなので、毛細管現象によって接着剤１２が浸透する。
【００４３】
このため、例えばディスペンサー１１からの接着剤１２の吐出量が不均一になって単位面積当たりの接着剤１２の量が場所によって異なるような事態が生じても、接着剤１２が縦糸７に吸い込まれて中手方向に浸透することにより、接着部１０に位置した各縦糸７にはその全長にわたって接着剤１２を行き渡らせることができ、このため、接着部１０での接着力を各部位において均等化することができる。その結果、接着力が弱い部分での剥がれに起因して全体が剥がれてしまうような事態を無くして、高い固定強度を得ることができる。
【００４４】
また、接着剤１２の拡散の勢いがある程度までに低下すると、接着剤１２はそれ以上には拡散せずに、拡散終端に位置した縦糸７に吸収されてしまい、これにより、接着剤１２がフレーム３の外側又は内側に垂れ流れることを防止して、綺麗な帯状の接着部１０と成すことができる。
【００４５】
すなわち、毛細管現象に起因した縦糸７の吸収作用により、滴下ラインを挟んで平行に延びる２本の縦糸７が接着剤１２の拡散に対する堰の役割を果たすのであり、換言すると、接着剤１２が拡散するにおいてその前線が２本の縦糸７によって画定されるのであり、これにより、接着剤１２がフレーム３の内側又は外側に垂れ落ちるような現象は生じず、接着部１０は綺麗な帯状に現れる。
【００４６】
このように接着部１０の各部位での接着力を均等化できることと、接着剤１２が流れ落ちることを防止して接着部１０を綺麗な帯状に形成できることとが相俟って、より高い接着強度を確保することができるのである。
【００４７】
なお、縦糸７は上下に蛇行しながら延びているので、フレーム３の上面に対して飛び飛びの状態で当たることになり、このフレーム３に当たった部分において主として接着剤１２が縦糸７に吸収されるが、縦糸７に吸収された接着剤１２は毛細管現象によって縦糸７の内部に吸い込まれて長手方向に流れる現象を呈するため、縦糸７がフレーム３の上面に飛び飛びの状態で当たっていても、各縦糸７にはその全長にわたって均等に接着剤１２が滲み込むことになり、このため、その全長がフレーム３に対して強固かつ均等に固定されると共に、接着剤１２を的確に堰き止めることができる。
【００４８】
（３）．その他
本発明は、更に様々に具体化することができる。例えばネットは、織地を使用する場合、平織の他に錦織のような様々の織り方のものを使用できる。ニット編みやメリヤス編みのような編み地を使用しても良い。
【００４９】
また、接着剤１では、織地や編地を使用することには限らず、縦糸の群と横糸の群とを重ね合わせて交叉部を溶着したものや不織布なども使用できる。複層構造にしても良い。
【００５０】
また、接着剤としては速乾性のものを使用することには限らず、例えば紫外線の照射によって硬化するＵＶ樹脂系のものを使用したり、若干の時間が経過したら自然硬化するものを使用することなども可能である。フレームは合成樹脂製には限らず、金属や複合材を使用することも可能である。
【００５１】
請求項１では、座体や背もたれは必ずしも四角形には限らず、例えば円形や楕円形などでも良い（この場合、ネットのうち人の大腿部が当たる前部は、溶着のような手段で外端部がフレームの前部に固定される）。また、座体のフレームと背もたれのフレームとを一体に連続させた形態と成すことも可能である。
【図面の簡単な説明】
【図１】実施形態に係る椅子の斜視図である。
【図２】座体の部分平面図である。
【図３】座体の部分平面図である。
【図４】（Ａ）は図３の　Ａ−Ａ視断面図、　（Ｂ）は図３の　Ｂ−Ｂ視断面図である。
【図５】座体の製造工程を示す図である。
【図６】製法の作用を示す平面図である。
【図７】図６の　ＶＩＩ−ＶＩＩ視断面図である。
【図８】作用の説明図である。
【符号の説明】
１　座体
２　背もたれ
３，４　フレーム
３ａ　側部
３ｂ　前部
３ｃ　後部
５，６　ネット
７　縦糸
８　横糸
９　溶着部
１０　接着部
【図１】
2004057646.tif 000003
【図２】
2004057646.tif 000004
【図３】
2004057646.tif 000005
【図４】
2004057646.tif 000006
【図５】
2004057646.tif 000007
【図６】
2004057646.tif 000008
【図７】
2004057646.tif 000009
【図８】
2004057646.tif 000010